(57)【要約】【課題】  湯水による錠剤の溶解を抑え、長時間にわたり美容または健康促進作用を維持できるシャワーヘッドを提供する。【解決手段】  このシャワーヘッド１では、水に溶けて炭酸ガスを発生する錠剤８をケース１０に納め、ケース１０をヘッド本体２の通水室９に取出可能に設置する。ケース１０の入水側面及び出水側面の全域に、炭酸ガスを含む水溶液を通過させる多数の通水孔１５を網目状に形成する。ケース１０の入水側面及び出水側面の中央部分に、水溶液を通過させない通水規制部１６を薄膜状に設ける。通水規制部１６により中央部分の通水孔１５を塞ぎ、ケース１０内の通水量を減少させ、錠剤８の溶解を抑える。【選択図】        図２
2014050543.tif 000002
【特許請求の範囲】
【請求項１】
美容または健康用の錠剤を通水室に設置し、錠剤から溶出した成分を含む水溶液を散水するシャワーヘッドにおいて、
前記錠剤を格納したケースを前記通水室に設置し、前記ケースの入水側面及び出水側面に前記水溶液を通過させる複数の通水孔を形成し、前記入水側面及び／又は出水側面の中央部分に前記水溶液を通過させない通水規制部を設けたことを特徴とするシャワーヘッド。
【請求項２】
前記通水孔がケースの入水側面及び出水側面の全域に網目状に形成され、前記通水規制部が入水側面及び／又は出水側面の中央部分に含まれる通水孔を塞ぐ薄膜状に設けられている請求項１記載のシャワーヘッド。
【請求項３】
前記通水規制部が前記入水側面及び出水側面の両方に同じ大きさでケースに一体成形されている請求項１又は２記載のシャワーヘッド。
【請求項４】
前記通水室を覆う散水板と、散水板をヘッド本体に取り付けるキャップとを備え、キャップをヘッド本体に対してワンタッチ操作で着脱可能に装着した請求項１〜３のいずれか一項に記載のシャワーヘッド。
【発明の詳細な説明】
【技術分野】
【０００１】
本発明は、美容または健康用の錠剤を通水室に設置し、錠剤から溶け出した成分を含む水溶液を散水するシャワーヘッドに関する。
【背景技術】
【０００２】
近年、血行促進作用を高めるために、シャワーヘッドの通水室に炭酸ガス発生剤を設ける技術が提案されている。例えば、特許文献１に記載されたシャワーヘッドは、ヘッド本体に炭酸ガス発生剤を収納するための収納スペースと、収納スペースを密閉するための蓋を備えている。そして、収納スペース内で湯水に炭酸ガス発生剤を接触させ、この錠剤から発生した炭酸ガスを湯水に溶解混入し、ヘッド本体の噴出口より炭酸水シャワーを噴出するようになっている。
【先行技術文献】
【特許文献】
【０００３】
【特許文献１】特開平０２−２５２４２３号公報
【発明の概要】
【発明が解決しようとする課題】
【０００４】
従来のシャワーヘッドによれば、シャワーヘッドから散水する湯水に炭酸ガスを含ませ、使用者の美容または健康を促進することができる。しかし、炭酸ガス発生剤等の錠剤を剥き出しの状態でヘッド本体の通水室または収納スペースに収納しているため、流水により炭酸ガス発生剤が早く溶解してしまい、美容または健康促進作用が短時間に低下するという不都合があった。
【０００５】
そこで、本発明の目的は、錠剤の溶解を抑え、長時間にわたって健康促進作用を維持できるシャワーヘッドを提供することにある。
【課題を解決するための手段】
【０００６】
上記課題を解決するために、本発明は次のようなシャワーヘッドを提供する。
（１）美容または健康用の錠剤を通水室に設置し、錠剤から溶出した成分を含む水溶液を散水するシャワーヘッドにおいて、錠剤を格納したケースを通水室に設置し、ケースの入水側面及び出水側面に水溶液を通過させる複数の通水孔を形成し、入水側面及び／又は出水側面の中央部分に水溶液を通過させない通水規制部を設けたことを特徴とするシャワーヘッド。
【０００７】
（２）通水孔がケースの入水側面及び出水側面の全域に網目状に形成され、通水規制部が入水側面及び／又は出水側面の中央部分に含まれる通水孔を塞ぐ薄膜状に設けられていることを特徴とする（１）に記載のシャワーヘッド。
【０００８】
（３）通水規制部が入水側面及び出水側面の両方に同じ大きさでケースに一体成形されていることを特徴とする（１）又は（２）に記載のシャワーヘッド。
【０００９】
（４）通水室を覆う散水板と、散水板をヘッド本体に取り付けるキャップとを備え、キャップをヘッド本体に対してワンタッチ操作で着脱可能に装着したことを特徴とする（１）〜（３）のいずれか一項に記載のシャワーヘッド。
【発明の効果】
【００１０】
本発明のシャワーヘッドによれば、錠剤を納めたケースに通水規制部を設けたので、ケース内を通過する湯水の量を減らし、錠剤の溶解を抑えて、長時間にわたり健康促進作用を維持できるという効果がある。
【図面の簡単な説明】
【００１１】
【図１】本発明の一実施形態を示すシャワーヘッドの斜視図である。
【図２】シャワーヘッドの構成部材を示す分解斜視図である。
【図３】シャワーヘッドの内部構造を示す断面図である。
【図４】錠剤の収納形態を示すケースの断面図である。
【図５】通水孔および通水規制部を示すケースの（ａ）斜視図、（ｂ），（ｃ）正面図である。
【図６】本発明の別の実施形態を示すシャワーヘッドの分解図である。
【発明を実施するための形態】
【００１２】
以下、本発明の実施形態を図面に基づいて説明する。図１に示すシャワーヘッド１は、ヘッド本体２の給水側にホース３と連結する連結部４を設け、排水側に複数の穴を備えた散水板５と、散水板５をヘッド本体２に取り付けるキャップ６とを設けている。キャップ６は、外周に滑り止め部７を備え、内周のネジによりヘッド本体２に取り付けられる。キャップ６の取り付けには、ネジの他にワンタッチ式の留め具など、着脱が容易であって散水圧に耐え得る構造を使用することもできる。
【００１３】
図２及び３に示すように、ヘッド本体２には、水に溶けて美容または健康促進用の成分を発生する錠剤８が納められる。この実施形態では、水に溶けて炭酸ガスを発生する錠剤８が合成樹脂製のケース１０に格納され、ケース１０がヘッド本体２内の通水室９に取出可能に設置される。ケース１０は、入水側ケース片１２と出水側ケース片１４とを分離可能に組み合わせて構成されている。ケース１０の設置状態では、入水側ケース片１２が通水室９内のリブ１１でヘッド本体２の定位置に保持され、出水側ケース片１４がキャップ６によりＯリング１３を介してヘッド本体２に保持される。
【００１４】
水に溶けて炭酸ガスを発生する錠剤８としては、例えば、炭酸塩と有機酸を含有するものを使用できる。炭酸塩としては、例えば、炭酸水素ナトリウム、炭酸水素カリウム、炭酸ナトリウム、炭酸カリウムなどが挙げられる。有機酸としては、例えばクエン酸、酒石酸、リンゴ酸、マロン酸、コハク酸、フマル酸などが挙げられる。好ましくは、炭酸水素ナトリウム及びクエン酸を固形にした錠剤８を使用できる。
【００１５】
図４及び図５に示すように、入水側ケース片１２及び出水側ケース片１４の端面、つまりケース１０の入水側面１０ａと出水側面１０ｂには、それぞれ、湯水の流出入を許容する多数の通水孔１５と、湯水の流出入を規制する通水規制部１６とが形成されている。通水孔１５は、入水側面１０ａ及び出水側面１０ｂの全域にわたって網目状に形成されている。通水規制部１６は、入水側面１０ａ及び出水側面１０ｂの中央部分に含まれる通水孔１５を塞ぐ薄膜状に設けられている。通水規制部１６は、厚さが尖鋭物で容易に破ることができる程度に、面積が入水側面１０ａと出水側面１０ｂの両方で同じ大きさとなるように設けられている。
【００１６】
次に、上記のように構成されたシャワーヘッド１の使用方法について説明する。まず、錠剤８を入水側ケース片１２と出水側ケース片１４との間に納めてケース１０を組み立てる。次に、このケース１０をヘッド本体２の通水室９に設置し、キャップ６とリブ１１との間に挟み付け、ヘッド本体２にガタ付きなく保持する。この状態で、湯水を通水室９に導入し、通水孔１５からケース１０内に流入させ、流動水により錠剤８を溶かして炭酸ガスを発生させ、炭酸ガス成分を含む水溶液を散水板５から散水する。
【００１７】
このとき、ケース１０の入水側及び出水側面１０ａ，１０ｂに設けた通水規制部１６が、ケース１０内を通過する湯水の量を減少させるように作用する。このため、錠剤８の溶解を抑え、一個あたりの使用時間を延ばし、錠剤８の交換に要する手間を減らすことができる。また、この実施形態のシャワーヘッド１によれば、通水規制部１６が通水孔１５を塞ぐ薄膜状に形成されているので、図５（ｃ）に示すように、尖鋭物で数箇所の薄膜を破ることにより、通水規制部１６の一部に通水孔１５を簡単に形成でき、用途に応じてケース１０の通水量を容易に増やすことができるという利点もある。
【００１８】
図６に示すシャワーヘッド２１は、キャップ６の内周に複数の傾斜溝２２が形成され、ヘッド本体２の突起２３を傾斜溝２２に嵌入して締めつけることにより、ヘッド本体２に対してキャップ６をワンタッチ操作で着脱できるように構成されている。また、散水板５はキャップ６に対して分解可能に設けられ、スペーサ２４を介してケース１０に接合し、キャップ６を取り外したときに、散水板５、スペーサ２４、ケース１０を個別にヘッド本体２から分解できるようになっている。
【００１９】
本発明は、上記実施形態に限定されるものではなく、通水孔１５や通水規制部１６の大きさを変更したり、通水規制部１６をケース１０の入水側面１０ａまたは出水側面１０ｂのどちらか一方に設けたり、炭酸ガスを発生する錠剤に保湿剤、清涼剤及び芳香剤などを加えたりするなど、発明の趣旨を逸脱しない範囲で、各部の構成を適宜に変更して実施することも可能である。
【符号の説明】
【００２０】
１    シャワーヘッド
２    ヘッド本体
５    散水板
６    キャップ
８    錠剤
９    通水室
１０    ケース
１０ａ    入水側面
１０ｂ    出水側面
１５    通水孔
１６    通水規制部
【図１】
2014050543.tif 000003
【図２】
2014050543.tif 000004
【図３】
2014050543.tif 000005
【図４】
2014050543.tif 000006
【図５】
2014050543.tif 000007
【図６】
2014050543.tif 000008